(57)【要約】【課題】結束時に被結束物が動きにくく、結束不良が生じにくい結束機を提供する。【解決手段】塑性変形可能な結束具４１によって被結束物５０を結束する結束機１０であって、先端に被結束物５０を挿入するための挿入口１６を開口させた出力部１５を備える。また、結束動作時に前記挿入口１６の開口を閉じるガイド部材３０を備えるようにした。この構成により、結束時に被結束物５０が動きにくく、結束不良が生じにくい結束機１０を提供することができる。【選択図】図６
2018184213.tif 000002
【特許請求の範囲】
【請求項１】
塑性変形可能な結束具によって被結束物を結束する結束機であって、
先端に被結束物を挿入するための挿入口を開口させた出力部を備え、
結束動作時に前記挿入口の開口を閉じるガイド部材を備えることを特徴とする、結束機。
【請求項２】
塑性変形可能な結束具によって被結束物を結束する結束機であって、
先端に被結束物を挿入するための挿入口を開口させた出力部を備え、
前記挿入口は、前記出力部の先端方向とは異なる方向に開口していることを特徴とする、結束機。
【請求項３】
結束具の開口部を閉じるために作動するドライバを備え、
前記挿入口の開口方向と、前記ドライバによって閉じられる結束具の開口方向とが、異なる方向に設定されていることを特徴とする、請求項１または２記載の結束機。
【請求項４】
前記ドライバは、結束具を前記挿入口に向けて打ち出すために直進運動を行うものであり、
前記挿入口の開口方向と、前記ドライバの進退方向とが、異なる方向に設定されていることを特徴とする、請求項３記載の結束機。
【請求項５】
前記ガイド部材は、前記挿入口の開口を閉じたときに、結束具をガイドする第１ガイド部を備えることを特徴とする、請求項１記載の結束機。
【請求項６】
前記ガイド部材は、前記挿入口の開口を閉じたときに、被結束物を押さえるために前記第１ガイド部よりも前記挿入口の内部に入り込む第２ガイド部を備えることを特徴とする、請求項５記載の結束機。
【発明の詳細な説明】
【技術分野】
【０００１】
この発明は、ハーネスの結束や、袋口の結束、畑の番線や誘引紐の結束などに使用可能な結束機に関する。
【背景技術】
【０００２】
例えば家電工場において、電源供給や信号通信に用いられる複数のハーネスを結束して組み付ける作業が行われる。こうしたハーネスの結束は、手作業で粘着テープを巻き付けて行う方法が主流であり、作業性が悪かった。
【０００３】
この点、例えば特許文献１に記載されているような装置を使用すれば機械的に結束が行えるため、テープを巻き付ける手間を省くことができる。しかしながら、特許文献１に記載された装置は、切欠溝が深いために奥深くまでハーネスを挿入しなければならず、使い勝手が悪かった。
【０００４】
なお、特許文献２には、Ｃリングによる締結作業を行なうことができるハンディタイプの結束機が開示されている。こうした結束機を使用すれば、ハーネスを奥深くまで挿入しなくてもよいので、使い勝手の悪さを解消することができる。
【先行技術文献】
【特許文献】
【０００５】
【特許文献１】特開平６−３２９１１８号公報
【特許文献２】特開２０００−３３５２６号公報
【発明の概要】
【発明が解決しようとする課題】
【０００６】
しかし、上記した特許文献２記載の結束機は、ハーネスを奥深くまで挿入しなくてもよい反面、結束前の被結束物が動きやすいという問題あった。特に、前方に向けてＣリングが開口しているため、使用時に結束機をハーネスなどの被結束物に対して押し付けることになる。このため、結束機を押し付けたときにハーネスが逃げたり、変形するＣリングに押されてハーネスが動いたりして、結束不良になりやすいという問題があった。
【０００７】
そこで、本発明は、結束時に被結束物が動きにくく、結束不良が生じにくい結束機を提供することを課題とする。
【課題を解決するための手段】
【０００８】
本発明は、上記した課題を解決するためになされたものであり、塑性変形可能な結束具によって被結束物を結束する結束機であって、先端に被結束物を挿入するための挿入口を開口させた出力部を備え、結束動作時に前記挿入口の開口を閉じるガイド部材を備えることを特徴とする。
【発明の効果】
【０００９】
本発明は上記の通りであり、結束動作時に挿入口の開口を閉じるガイド部材を備える。このような構成によれば、ガイド部材によって、被結束物が挿入口から外れることが防止されるので、安定して結束することができる。
【図面の簡単な説明】
【００１０】
【図１】結束具をセットした結束機の外観図である。
【図２】結束機で被結束物を結束した直後の外観図である。
【図３】（ａ）結束具の正面図、（ｂ）連結結束具の側面図である。
【図４】（ａ）被結束物を結束した結束具の外観図、（ｂ）被結束物を結束した結束具の正面図である。
【図５】結束機の内部構造を示す斜視図である。
【図６】結束機の出力部付近の一部拡大図であって、（ａ）待機状態の図、（ｂ）結束完了状態の図である。
【図７】（ａ）結束具をセットする前の結束機の平面図、（ｂ）（ａ）における結束機の先端付近の一部拡大断面図である。
【図８】（ａ）結束具をセットした後の結束機の平面図、（ｂ）（ａ）における結束機の先端付近の一部拡大断面図である。
【図９】待機状態の結束機の内部を示す図であって、（ａ）ガイド部材を省略していない図、（ｂ）ガイド部材の一部を省略した図である。
【図１０】結束途中の結束機の内部を示す図であって、（ａ）ガイド部材を省略していない図、（ｂ）ガイド部材の一部を省略した図である。
【図１１】結束完了状態の結束機の内部を示す図であって、（ａ）ガイド部材を省略していない図、（ｂ）ガイド部材の一部を省略した図である。
【図１２】変形例に係る結束機の（ａ）斜視図、（ｂ）側面図である。
【図１３】変形例に係る結束機の内部構造を示す（ａ）斜視図、（ｂ）側面図である。
【図１４】変形例に係る結束機で結束したときの内部構造を示す（ａ）斜視図、（ｂ）側面図である。
【図１５】別の変形例に係る結束機の内部を示す図であって、（ａ）ガイド部材の作動前の図、（ｂ）ガイド部材の作動後の図である。
【発明を実施するための形態】
【００１１】
本発明の実施形態について、図を参照しながら説明する。なお、以下においては、「前」は結束具４１が打ち出される方向を意味し、「後」は結束具４１が打ち出される方向の反対方向を意味するものとして説明する。
【００１２】
本実施形態に係る結束機１０は、塑性変形可能な結束具４１によって被結束物５０を結束する手持ち式の結束機１０である。具体的には、この結束機１０は、図３（ａ）に示すような開口部４１ｃを備えた結束具４１を使用可能となっており、結束具４１の開口部４１ｃを閉じることによって被結束物５０を結束するものである。この結束機１０は、例えば、ハーネスの結束や、袋口の結束、畑の番線や誘引紐の結束などに使用される。
【００１３】
この結束機１０は、図１に示すように、ハウジング１１によって覆われており、モータ収容部１２と、グリップ部１３と、出力部１５と、を備えている。本実施形態に係る結束機１０では、これらの部位が結束具４１の打ち出し方向Ｄ２（図６（ａ）参照）に沿って前後に連続して設けられている。すなわち、結束具４１の打ち出し方向Ｄ２に見て、後方から前方へ、モータ収容部１２、グリップ部１３、出力部１５の順に配置されている。
【００１４】
モータ収容部１２は、結束機１０の後部に設けられており、後端部には外部電源を接続するための電源接続部１２ａが設けられている。この電源接続部１２ａから電圧供給を受けることで、結束機１０は結束具４１の打ち出しなどの各種動作を実行できるようになっている。なお、本実施形態に係る結束機１０は電気式であるが、これに限らず、結束機１０は圧縮空気式であってもよい。圧縮空気式の結束機１０の場合、電源接続部１２ａの代わりに、圧縮空気の供給を受けるための接続部を設けてもよい。
【００１５】
このモータ収容部１２には、図５に示すように、モータ２０や制御部２１が内蔵されている。モータ２０は、後述する駆動機構２２を駆動するための動力源である。また、制御部２１は、モータ２０の回転などを制御する制御装置であり、本実施形態においてはＣＰＵやメモリを実装した制御基板である。
【００１６】
グリップ部１３は、結束機１０の使用時に使用者が把持する部位である。このグリップ部１３は、ハウジング１１の中間部に設けられており、使用者が把持しやすいように、くびれた形状で形成されている。このグリップ部１３の斜め前方には、グリップ部１３を把持したときに人差し指で操作可能な位置にトリガ１４が設けられている。トリガ１４は、結束動作を実行するために手動操作可能となっており、本実施形態においては引き金形状の揺動部材である。このトリガ１４を使用者が引き操作すると、トリガ１４に隣接して配置されたスイッチ１４ａ（図５参照）がオンになり、スイッチ１４ａから制御部２１へと操作信号が出力されるようになっている。操作信号を受信した制御部２１は、モータ２０を回転させて結束具４１を打ち出す動作を実行するようになっている。詳しくは、トリガ１４がトリガ操作されたときに、結束位置までのドライバ２５の前進と、結束位置でのドライバ２５の保持と、待機位置までのドライバ２５の後退と、で構成される一連のサイクルが連続して実行されるようになっている。このように、結束の開始から完了までの動作が連続して行われるので、結束動作の途中で停止したり、結束力が不十分になることがない。
【００１７】
このグリップ部１３には、図５に示すように、駆動機構２２が内蔵されている。駆動機構２２は、トリガ１４が操作されたときにモータ２０によって作動する機構であり、後述するドライバ２５を前後に往復動させることで結束動作を行うものである。
【００１８】
この駆動機構２２は、減速機構２３と、ボールねじ２４と、を備えている。減速機構２３は、モータ２０の回転軸に接続されており、モータ２０の回転を減速させて大きなトルクを得られるようにするための機構である。また、ボールねじ２４は、減速機構２３の出力軸に接続されており、モータ２０の回転力によってねじ軸２４ａを回転させ、ねじ軸２４ａを回転させることでナット２４ｂを前後に直進運動させるためのものである。具体的には、モータ２０が正回転したときには、ナット２４ｂが前方へと移動して結束動作が実行されるように構成されている。また、結束動作の完了後にモータ２０が逆回転したときには、ナット２４ｂが後方へと移動して待機状態へと戻るように構成されている。
【００１９】
出力部１５は、結束機１０の先端付近に設けられている。この出力部１５の先端には、突出形成部１７が略Ｌ字形に突出しており、この突出形成部１７の内側に被結束物５０を挿入するための挿入口１６が開口している。また、この出力部１５には、図５に示すように、ドライバ２５と、ガイド部材３０と、連動機構２６と、が内蔵されている。また、この出力部１５の側部には、図７及び図８に示すように、マガジン部３５が設けられている。
【００２０】
突出形成部１７は、ハウジング１１の一部として形成されるか、または、ハウジング１１に対して一体的に固定されている。この突出形成部１７の内側の面には、後述するドライバ２５の先端を受ける位置に、クリンチャ１８が設けられている。クリンチャ１８とドライバ２５とは、結束具４１を打ち出す前の状態では、互いに離れた位置において待機しており、両者の間には挿入口１６が設けられている。本実施形態に係る結束機１０は、この挿入口１６に向けて結束具４１を打ち出して結束を行う。
【００２１】
なお、この挿入口１６は、出力部１５の先端方向（結束機１０の前後方向）とは異なる方向に開口している。本実施形態においては、図６等に示すように、結束具４１の打ち出し方向を前後方向としたときに、この前後方向に略直交するように側方に開口している。
【００２２】
クリンチャ１８は、ドライバ２５によって打ち出された結束具４１の脚部４１ａをクリンチして、結束を完了させるためのものである。具体的には、このクリンチャ１８は、ドライバ２５によって打ち出された結束具４１が押しつけられるプレートである。クリンチャ１８の表面には、結束具４１の脚部４１ａを誘導するための溝が形成されており、クリンチャ１８に押し付けられた結束具４１の脚部４１ａが、この溝に沿って内側に曲げられる（クリンチされる）ようになっている。
【００２３】
なお、このクリンチャ１８を設けた突出形成部１７は、クリンチャ１８を含めて可動部を持たずに形成されており、シンプルかつスリムな形状となっている。このため、突出形成部１７は、ハーネスなどの被結束物５０の隙間に挿し込みやすくなっている。
【００２４】
しかも、突出形成部１７は、図６等に示すように、先細り形状となっている。具体的には、突出形成部１７の外側面１７ａは、挿入口１６の開口方向Ｄ１に対して傾斜しており、クリンチャ１８を形成した内側面１７ｂに対して鋭角を形成している。このように突出形成部１７は、挿入口１６の開口方向Ｄ１に先細りに形成されることで、狭い隙間に挿し込みやすい形状となっている。
【００２５】
また、このクリンチャ１８に対向するハウジング１１には、拾いこみ面１１ａが形成されている。この拾いこみ面１１ａは、クリンチャ１８を形成した突出形成部１７の内側面１７ｂに対して傾斜しており、挿入口１６を大きく開口させるようになっている。この拾いこみ面１１ａを形成することにより、ハーネスなどの被結束物５０を挿入口１６の内側に誘導しやすく形成されている。また、この拾いこみ面１１ａは、作動前に待機しているガイド部材３０（後述）を覆っており、被結束物５０を挿入口１６の内側に誘導するときに、被結束物５０がガイド部材３０に引っかかることを防止している。
【００２６】
ドライバ２５は、結束具４１を挿入口１６に向けて打ち出すために駆動機構２２によって直進運動を行う細長のプレートである。このドライバ２５は、ハウジング１１の内部において摺動案内されており、結束具４１の打ち出し方向Ｄ２に往復動可能となっている。本実施形態に係るドライバ２５は、ボールねじ２４のナット２４ｂに固定されており、ナット２４ｂの前方に突出している。このため、ナット２４ｂが前進したときに結束具４１を打ち出すようになっている。このドライバ２５は、打ち出した結束具４１をクリンチャ１８に押し付けることで、結束具４１の脚部４１ａを曲げ、これにより開口部４１ｃを閉じて結束を完了するようになっている。
【００２７】
ガイド部材３０は、挿入口１６に挿入された被結束物５０の位置を安定させるためのものであり、ドライバ２５によって結束具４１が打ち出されて挿入口１６に進入する直前に、挿入口１６の開口を閉じるように構成されている。このガイド部材３０は、図５に示すように、揺動軸３０ａを軸として、ハウジング１１に対して前後に揺動可能に取り付けられている。このガイド部材３０は、自然状態においては、図示しない付勢手段によって挿入口１６を開放する方向に付勢されている。
【００２８】
また、このガイド部材３０は、後述するスライド部材２７に係合する作動ピン３０ｂを備えている。この作動ピン３０ｂはスライド部材２７に対して摺動可能に係合しており、作動ピン３０ｂがスライド部材２７によって押されたときに、ガイド部材３０が付勢手段による付勢力に抗して挿入口１６を閉じる方向に揺動するように構成されている。
【００２９】
また、このガイド部材３０は、挿入口１６を塞ぐために爪状に形成された先端部３０ｃを備えている。本実施形態においては、この先端部３０ｃには、第１ガイド部３０ｄと、第２ガイド部３０ｅと、が設けられている。
【００３０】
第１ガイド部３０ｄは、挿入口１６の開口を閉じたときに結束具４１をガイドするためのものであり、図２に示すように挿入口１６を塞いだ状態で、結束具４１の打ち出し方向Ｄ２と平行になるように形成されている。この第１ガイド部３０ｄの内側には、結束具４１の側部をガイドするための溝が形成されている。
【００３１】
また、第２ガイド部３０ｅは、被結束物５０を押さえるためのものであり、挿入口１６の開口を閉じたときに第１ガイド部３０ｄよりも挿入口１６の内部に入り込むように形成されている。このように第２ガイド部３０ｅによって被結束物５０を押さえこむことで、被結束物５０の位置が安定し、結束具４１の打ち出し時に、確実に結束具４１で被結束物５０を抱え込むことができる。
【００３２】
このように、本実施形態においては、挿入口１６の開口を閉じるための第１ガイド部３０ｄと、被結束物５０を収束させて保持するための第２ガイド部３０ｅとが、一体的に形成されている。なお、第１ガイド部３０ｄおよび第２ガイド部３０ｅは、必ずしも一体的に形成しなくてもよく、結束時に連動して作動するようになっていればよい。
【００３３】
なお、本実施形態に係るガイド部材３０は、先端部３０ｃがＬ字形に突出形成されている。これにより、ガイド部材３０が揺動したときに、先端部３０ｃで挿入口１６の開口を確実に塞ぐことができ、ガイド部材３０による被結束物５０の保持力を高めることができる。
【００３４】
また、本実施形態に係るガイド部材３０は、作動ピン３０ｂ（力点）が、先端部３０ｃ（作用点）よりも揺動軸３０ａ（支点）に近い位置に配置されているため、後述するスライド部材２７が少し移動しただけで、先端部３０ｃを大きく移動させることができる。これにより、先端部３０ｃが大きく弧を描いて移動するようになっている。また、揺動軸３０ａを先端部３０ｃから離れた位置、例えばドライバ２５よりも反先端部３０ｃ側に配置したので、大きく弧を描いて移動するようになっている。このように先端部３０ｃが大きく弧を描いて移動することで、被結束物５０を抱え込みながら収束する効果を高めることができる。
【００３５】
なお、この先端部３０ｃの移動をスムーズにするために、ガイド部材３０の移動をガイドするガイド構造を設けてもよい。例えば、ガイド部材３０に取り付けたローラを案内する溝などを設けてもよい。このガイド構造は、揺動軸３０ａよりも先端部３０ｃ寄りに設けることが望ましい。
【００３６】
連動機構２６は、ガイド部材３０を結束具４１の打ち出し動作と連動して作動させるための機構である。この連動機構２６を介してガイド部材３０を作動させることで、ガイド部材３０がドライバ２５と機械的に連動するようになっている。すなわち、ガイド部材３０が結束具４１の打ち出し動作と同期して作動するように構成されている。この連動機構２６は、図５に示すように、スライド部材２７と、接続部材２８と、を備える。スライド部材２７は、接続部材２８によってボールねじ２４のナット２４ｂに固定されており、ナット２４ｂと一体的に前後動するように構成されている。
【００３７】
このスライド部材２７は、図９（ｂ）、図１０（ｂ）、図１１（ｂ）に示すように、ガイド部材３０の作動ピン３０ｂと係合するように構成されている。具体的には、フック２７ａ、傾斜部２７ｂ、水平部２７ｃによって連続する係合面が形成されており、この係合面において作動ピン３０ｂと係合するようになっている。
【００３８】
なお、フック２７ａは、略Ｕ字形の溝を形成しており、待機状態（結束具４１の打ち出し前の状態）において作動ピン３０ｂに係合する箇所である。
【００３９】
また、傾斜部２７ｂは、結束具４１の打ち出し方向Ｄ２に対して傾斜した面である。この傾斜部２７ｂ上を作動ピン３０ｂが摺動しているときにガイド部材３０が揺動するようになっている。
【００４０】
また、水平部２７ｃは、結束具４１の打ち出し方向Ｄ２に対して平行な面であり、この水平部２７ｃ上を作動ピン３０ｂが摺動しているときは、ガイド部材３０が挿入口１６の開口を閉じた状態を維持するようになっている。
【００４１】
なお、本実施形態においては、連動機構２６によって、ガイド部材３０が結束具４１の打ち出し動作と連動して作動するようになっているが、これに限らず、ガイド部材３０の作動と結束具４１の打ち出し動作とが独立していてもよい。例えば、結束具４１を打ち出すための駆動源とは別に、ガイド部材３０の作動させるための駆動源（モータなど）を設け、これら複数の駆動源の作動タイミングを制御することにより、結束動作時にガイド部材３０が挿入口１６の開口を閉じるようにしてもよい。
【００４２】
マガジン部３５は、複数の結束具４１を装着するためのものである。本実施形態に係る結束機１０は、図３に示すような連結結束具４０を使用するものであり、マガジン部３５には、このような連結結束具４０が装着可能となっている。
【００４３】
なお、連結結束具４０は、複数の結束具４１を互いに連結して構成されている。各結束具４１は、プラスチックなどの樹脂製の部材であり、一対の脚部４１ａと、一対の脚部４１ａを接続する接続部４１ｂと、を備え、略Ｕ字形に形成されている。一対の脚部４１ａの間には、被結束物５０を抱え込むための開口部４１ｃが形成されている。結束具４１は、ドライバ２５によって打ち出されてクリンチされると、図４に示すように脚部４１ａが塑性変形して被結束物５０を抱え込んで結束できるように構成されている。
【００４４】
マガジン部３５は、図７（ｂ）に示すように、上記した結束具４１の脚部４１ａの間（すなわち開口部４１ｃ）に入り込むリブ３５ａを備えている。また、このリブ３５ａの先端に臨むように、結束具４１の接続部４１ｂが案内される溝部３５ｂが形成されている。
【００４５】
このマガジン部３５には、マガジン部３５の長手方向に沿って摺動可能なプッシャ３６が設けられている。プッシャ３６は、マガジン部３５に装着した連結結束具４０を前方に付勢するためのものであり、図示しないバネによって常に前方（結束具４１を後述する待機部３７へ送り込む方向）へと付勢されている。
【００４６】
このマガジン部３５は、出力部１５の側方に接続されており、出力部１５の内部に連結結束具４０を誘導するように構成されている。マガジン部３５に連続する出力部１５の内部には、結束具４１を打ち出し可能な状態で待機させるための待機部３７が設けられている。待機部３７は、ドライバ２５と挿入口１６との間に設けられており、待機部３７に待機している結束具４１がドライバ２５によって挿入口１６の方向に打ち出されるようになっている。
【００４７】
なお、待機部３７で待機する結束具４１の開口部４１ｃは、結束具４１の打ち出し方向Ｄ２、すなわち、出力部１５の先端方向に向けて開口している。一方、挿入口１６は、出力部１５の先端方向に対して略直交方向に開口している。このため、本実施形態においては、挿入口１６の開口方向と、ドライバ２５によって閉じられる結束具４１の開口方向とが、異なる方向に設定されている。
【００４８】
このマガジン部３５に連結結束具４０を装着するときには、図８（ｂ）に示すように、リブ３５ａを跨ぐように連結結束具４０を装着し、マガジン部３５の溝部３５ｂを結束具４１の接続部４１ｂが通過するようにする。このように連結結束具４０を装着すると、連結結束具４０がプッシャ３６によって待機部３７の方向に付勢される。このように、連結結束具４０をセットするだけで結束具４１の打ち出しが可能な状態となる。このような構成によれば、結束具４１の送り動作が不要である。また、待機部３７に供給された結束具４１は、連結結束具４０に連結された状態で待機しているので、連結結束具４０から切り離された結束具４１が結束機１０から脱落するといった問題も発生しない。
【００４９】
次に、上記した結束機１０の結束動作について説明する。
【００５０】
本実施形態に係る結束機１０を使用して結束を行うときには、まず、挿入口１６に被結束物５０を挿入する。このとき、図６に示すように、挿入口１６の開口方向Ｄ１は、結束具４１の打ち出し方向Ｄ２（すなわちドライバ２５の進退方向）と異なる方向に設定されているため、被結束物５０に引っ掛けるようにして、挿入口１６の内部に被結束物５０を係合させることができる。
【００５１】
この状態でトリガ１４を操作すると、モータ２０が回転して駆動機構２２が作動する。このとき、駆動機構２２によって、まずガイド部材３０が作動させられる。すなわち、トリガ１４が操作される前の待機状態においては、図９に示すように、作動ピン３０ｂがスライド部材２７のフック２７ａに係合しており、ガイド部材３０が挿入口１６の開口を開いた状態となっている。この状態から駆動機構２２が作動し始めると、図１０に示すように、スライド部材２７が前進することにより、作動ピン３０ｂがスライド部材２７の傾斜部２７ｂに沿って移動し、これにより、ガイド部材３０が揺動して挿入口１６の開口を塞いでいく。そして、作動ピン３０ｂがスライド部材２７の水平部２７ｃにまで到達すると、ガイド部材３０が完全に挿入口１６の開口を塞いだ状態となる。
【００５２】
その後、更にモータ２０が回転して駆動機構２２が作動すると、図１１に示すように、ドライバ２５が待機部３７に供給された結束具４１を打ち出し、打ち出された結束具４１の脚部４１ａがクリンチャ１８によってクリンチされて結束が完了する（図１１参照）。
【００５３】
図１１に示すように結束完了状態となったら、モータ２０が逆回転して図９に示すような待機状態へと戻る。このとき、ドライバ２５が待機部３７から退避することで待機部３７が空くので、プッシャ３６によってマガジン部３５内の連結結束具４０が押動され、次の結束具４１が自動的に待機部３７へと送られる。また、スライド部材２７が後退することで、ガイド部材３０も開方向に揺動する。ガイド部材３０は、作動ピン３０ｂがスライド部材２７のフック２７ａに係合する位置まで揺動し、挿入口１６の開口を開いた状態に戻る。
【００５４】
以上説明したように、本実施形態によれば、挿入口１６は、出力部１５の先端方向とは異なる方向に開口している。このような構成によれば、ハーネスなどの被結束物５０を奥方向へ押し付ける構造ではないため、結束機１０を押し付けたときにハーネスが逃げるという問題が生じにくい。しかも、例えば挿入口１６にハーネスを引っ掛けて手前に引きつけて結束することも可能であり、挿入口１６内でのハーネスの位置を安定させることができる。よって、結束時に被結束物５０が動きにくく、結束不良が生じにくい結束機１０を提供することができる。
【００５５】
また、挿入口１６の開口方向と、ドライバ２５によって閉じられる結束具４１の開口方向とが、異なる方向に設定されている。このような構成によれば、結束具４１に押されてハーネスなどの被結束物５０が動きにくく、動いたとしても挿入口１６の開口方向へは動かないので、安定して結束することができる。
【００５６】
また、挿入口１６の開口方向と、ドライバ２５の進退方向とが、異なる方向に設定されている。このような構成によれば、ドライバ２５を打ち出したときの勢いで被結束物５０が動いたとしても、挿入口１６の開口方向とは異なる方向へ動くので、結束時に被結束物５０が挿入口１６から外れにくく、安定して結束することができる。
【００５７】
また、結束動作時に挿入口１６の開口を閉じるガイド部材３０を備えており、このガイド部材３０は、ドライバ２５が挿入口１６に進入する前に、挿入口１６の開口を閉じるように構成されている。このような構成によれば、ガイド部材３０によって被結束物５０が挿入口１６から外れることが防止されるので、安定して結束することができる。また、ガイド部材３０はドライバ２５と機械的に連動して作動するので、開口部４１ｃを閉じる動きをドライバ２５の作動と確実に同期させることができる。
【００５８】
また、ガイド部材３０は、挿入口１６の開口を閉じたときに、結束具４１をガイドする第１ガイド部３０ｄと、被結束物５０を押さえるために第１ガイド部３０ｄよりも挿入口１６の内部に入り込む第２ガイド部３０ｅと、を備える。このような構成によれば、確実に結束具４１の内側に被結束物５０を誘導することができ、結束不良が生じにくい。すなわち、挿入口１６が結束具４１の移動経路上に形成されていても、結束具４１が通過するときには第１ガイド部３０ｄが挿入口１６を塞いで結束具４１の移動経路を形成するので、結束具４１が不安定になることがなく、結束不良が生じにくい。
【００５９】
なお、本実施形態においては、ドライバ２５が結束具４１を挿入口１６に向けて打ち出すために直進運動を行うようにしたが、これに限らない。例えば、ドライバ２５がＣリング（結束具）を両側から挟みこんで開口部を閉じるような結束機１０に本発明を適用してもよい。この場合でも、挿入口１６の開口方向を、出力部１５の先端方向や、ドライバ２５によって閉じられる結束具４１の開口方向と異なる方向に設定すれば、上記したような安定した結束を実現することができる。
【００６０】
なお、本実施形態においては、駆動機構２２にボールねじ２４を使用しているが、これに限らず、他の機構を使用してもよい。例えば、駆動機構２２にラックアンドピニオンなどを使用してもよい。すなわち、図１５に示すように、モータ２０の回転軸２０ａにピニオン４３を固定し、このピニオン４３に噛合するラック４４を設けてもよい。そして、このラックアンドピニオンによってモータ２０の回転運動を直進運動に変換し、ラック４４に接続したドライバ２５を前後に駆動するようにしてもよい。
【００６１】
また、上記した実施形態においては、挿入口１６の開口方向Ｄ１と結束具４１の打ち出し方向Ｄ２とを異なる方向に設定したが、これに限らない。例えば図１５に示すように、挿入口１６の開口方向と結束具４１の打ち出し方向とを同じ方向に設定してもよい。この場合でも、結束動作時にガイド部材３０が挿入口１６の開口を閉じるようにすれば、被結束物５０が挿入口１６から外れることを防止できる。このように構成した場合、ガイド部材３０の内側にクリンチャ１８を設けてもよい。
【００６２】
なお、上記した実施形態においては、結束機１０をユーザが把持する前提で説明したが、結束機１０をロボットアーム等の機械に取り付けるようにしてもよい。この場合、ロボットアーム等の機械に取り付けられる部分をグリップ部１３としてもよい。
【００６３】
また、上記した実施形態に係る結束機１０は、電源接続部１２ａから電圧供給を受けるように構成したが、これに限らず、結束機１０が電源を内蔵してもよいし、結束機１０に電池パックを着脱可能としてもよい。また、上記した実施形態に係る結束機１０は、制御部２１を備えているが、これに限らず、制御部２１を機械の外部に配置してもよい。例えば、集中制御などによって結束機１０を作動させるようにしてもよい。
【００６４】
また、上記した実施形態においては、手持ち式の結束機１０について説明したが、これに限らず、図１２〜１４に示すような据え置き式の結束機１０’に本発明を応用してもよい。
【００６５】
図１２〜１４に示す据え置き式の結束機１０’は、基本的な構造は手持ち式の結束機１０と同様であり、既に説明したものと同じ構造のクリンチャ１８’、モータ、駆動機構、ドライバ、ガイド部材３０’などを備えている。ただし、ハウジング１１’の形状は、据え置き式に適した形状に変更されている。
【００６６】
また、この結束機１０’は、プレート状のベース４２を備えており、このベース４２の上に機械が固定されている。結束機１０’を使用するときには、このベース４２を作業台などに固定することで、結束機１０’を作業場所に据え置くことができる。ベース４２を水平面に載置した場合、図１２（ｂ）に示すように、挿入口１６’は上方に向けて開口する。
【００６７】
なお、この変形例に係る結束機１０’のトリガ１４’は、挿入口１６’の奥に配置されている。このため、図１３（ｂ）および図１４（ｂ）に示すように、挿入口１６’の奥まで被結束物５０を挿し込んだときに、トリガ１４’が被結束物５０によって押圧されて作動するようになっている。トリガ１４’が押圧されて作動すると、手持ち式の結束機１０と同様にスイッチ１４ａがオンとなり、結束動作が実行される。
【００６８】
このような据え置き式の結束機１０’であっても、結束動作時にガイド部材３０が挿入口１６の開口を閉じるようにすれば、被結束物５０が挿入口１６から外れることを防止できる。
【符号の説明】
【００６９】
１０  結束機
１０’  結束機
１１  ハウジング
１１’  ハウジング
１１ａ  拾い込み面
１２  モータ収容部
１２ａ  電源接続部
１３  グリップ部
１４  トリガ
１４’  トリガ
１４ａ  スイッチ
１５  出力部
１６  挿入口
１７  突出形成部
１７ａ  外側面
１７ｂ  内側面
１８  クリンチャ
１８’  クリンチャ
２０  モータ
２０ａ  回転軸
２１  制御部
２２  駆動機構
２３  減速機構
２４  ボールねじ
２４ａ  ねじ軸
２４ｂ  ナット
２５  ドライバ
２６  連動機構
２７  スライド部材
２７ａ  フック
２７ｂ  傾斜部
２７ｃ  水平部
２８  接続部材
３０  ガイド部材
３０’  ガイド部材
３０ａ  揺動軸
３０ｂ  作動ピン
３０ｃ  先端部
３０ｃ’  先端部
３０ｄ  第１ガイド部
３０ｄ’  第１ガイド部
３０ｅ  第２ガイド部
３０ｅ’  第２ガイド部
３５  マガジン部
３５’  マガジン部
３５ａ  リブ
３５ｂ  溝部
３６  プッシャ
３６’  プッシャ
３７  待機部
４０  連結結束具
４１  結束具
４１ａ  脚部
４１ｂ  接続部
４１ｃ  開口部
４２  ベース
４３  ピニオン
４４  ラック
５０  被結束物
Ｄ１  挿入口の開口方向
Ｄ２  結束具の打ち出し方向（ドライバの進退方向）
【図１】
2018184213.tif 000003
【図２】
2018184213.tif 000004
【図３】
2018184213.tif 000005
【図４】
2018184213.tif 000006
【図５】
2018184213.tif 000007
【図６】
2018184213.tif 000008
【図７】
2018184213.tif 000009
【図８】
2018184213.tif 000010
【図９】
2018184213.tif 000011
【図１０】
2018184213.tif 000012
【図１１】
2018184213.tif 000013
【図１２】
2018184213.tif 000014
【図１３】
2018184213.tif 000015
【図１４】
2018184213.tif 000016
【図１５】
2018184213.tif 000017